(57)【要約】【課題】装置を落下させた際に表示部の角部に大きな衝撃力が加わることを防ぐことができるようにする。【解決手段】ノート型情報処理装置１は、本体側筐体２と、表示部３と、ヒンジ機構４とを備えている。本体側筐体２は、入力部５が配置された略長方形状の主面部２ａを有する。表示部３は、表示パネル１０を有し、本体側筐体２の主面部２ａに重なり合う。そして、この表示部３は、本体側筐体２と重ね合わせた際に入力部５を覆うと共に、その角部が主面部２ａの角部よりも内側に配置されて主面部２ａの角部を露出させる。【選択図】図３
2011237900.tif 000002
【特許請求の範囲】
【請求項１】
入力部が配置された略長方形状の主面部を有する本体側筐体と、
表示パネルを有し、且つ矩形状に形成されて前記本体側筐体の前記主面部に重なり合い、前記本体側筐体と重ね合わせた際に前記入力部を覆うと共にその角部が前記主面部の角部よりも内側に配置されて前記主面部の角部を露出させる表示部と、
を備えたノート型情報処理装置。
【請求項２】
前記表示部は、中央部から周縁部に近づくにつれてその厚さが薄くなる
請求項１に記載のノート型情報処理装置。
【請求項３】
前記表示部は、
前記表示パネルが設けられ且つ前記本体側筐体の前記主面部と対向する前面板と、
前記表示パネルの表示面と反対側に配置されて前記前面板及び前記表示パネルの背面を覆う背面板と、を有し、
前記背面板は、前記前面板よりも大きき形成されており、
前記背面板の周縁部は、前記前面板の周縁部から外側に張り出している
請求項１又は２に記載のノート型情報処理装置。
【請求項４】
前記表示部と前記本体側筐体を重ね合わせた際に、前記表示部を囲む辺と、前記本体側筐体の主面部を囲む辺が上面又は背面から見ると略平行に揃う
請求項１〜３のいずれかに記載のノート型情報処理装置。
【請求項５】
前記表示部の角部は、丸く形成されている
請求項１〜４のいずれかに記載のノート型情報処理装置。
【請求項６】
前記表示部は、前記本体側筐体にヒンジ機構を介して回動可能に連結されており、
前記表示部における前記本体側筐体の前記主面部の角部を露出させる角部は、前記ヒンジ機構を設けた辺と対向する辺の両端である
請求項１〜５のいずれかに記載のノート型情報処理装置。
【発明の詳細な説明】
【技術分野】
【０００１】
本発明は、本体側筐体とこの本体側筐体に積層される表示部とからなるノート型情報処理装置に関し、特に表示部を保護するノート型情報処理装置に関する。
【背景技術】
【０００２】
ノート型情報処理装置、いわゆるノート型パーソナルコンピュータは、矩形状の本体側筐体と、この本体側筐体に重なり合う表示部と、この表示部を本体側筐体に対して回動可能に連結するヒンジ機構と、を備えている（例えば、特許文献１参照）。そして、表示部には、液晶ディスプレイや有機ＥＬディスプレイ、表面電界ディスプレイ等からなる表示パネルが設けられている。
【０００３】
近年、携帯可能なノート型情報処理装置が求められている。そのため、ノート型情報処理装置を携帯するために、小型化、軽量化の要望が強く、軽くて持ち易いノート型情報処理装置が好まれている。そして、装置全体の小型化に伴い、表示部の薄型化が求められている。
【先行技術文献】
【特許文献】
【０００４】
【特許文献１】特開２００８−２８８８０１号公報
【発明の概要】
【発明が解決しようとする課題】
【０００５】
しかしながら、本体側筐体は、内部にリブを設けたりして補強を行い易いが、表示部は、薄型化が求められているため、内部にリブを設ける等の補強を施すことが困難であった。また、近年のノート型情報処理装置は、上述したように持ち運びすることを目的としているため、持ち運んでいる際に地面等に落下するおそれがある。そのため、特許文献１に記載されているような従来のノート型情報処理装置では、装置が落下して表示部が地面や机と衝突すると、表示部に設けた表示パネルに大きな衝撃力が加わり表示パネルが破損してしまう可能性があった。
【０００６】
また、特に角部は、地面や机と点で接触するため、力が集中し易い。そのため、この角部は、表示部やこの表示部に内蔵された表示パネルに大きな衝撃力が加わり易い箇所となっている。その結果、角部から地面に落下した際の対策が求められている。
【０００７】
本発明の目的は、上記の問題点を考慮し、装置を落下させた際に表示部の角部に大きな衝撃力が加わることを防ぐノート型情報処理装置を提供することにある。
【課題を解決するための手段】
【０００８】
上記課題を解決し、本発明の目的を達成するため、本発明のノート型情報処理装置は、入力部が配置された略長方形状の主面部を有する本体側筐体と、表示パネルを有し、且つ矩形状に形成されて本体側筐体の主面部に重なり合う表示部と、を備えている。そして、この表示部は、本体側筐体と重ね合わせた際に入力部を覆うと共にその角部が主面部の角部よりも内側に配置されて主面部の角部を露出させる。
【発明の効果】
【０００９】
本発明のノート型情報処理装置によれば、本体側筐体と表示部を重ね合わせた際に、表示部の角部を本体側筐体の主面部の角部よりも内側に配置するように形成し、本体側筐体の角部を露出させている。そのため、地面や机等に落下しても、表示部の角部が地面等に衝突することなく、表示部よりも強度が高い本体側筐体の主面部の角部が地面に衝突する。その結果、表示部に設けた表示パネルに大きな衝撃力が加わることを防ぐことができ、表示パネルが破損することを防止することができる。
【図面の簡単な説明】
【００１０】
【図１】本発明のノート型情報処理装置の第１の実施の形態例を示す斜視図である。
【図２】本発明のノート型情報処理装置の第１の実施の形態例として表示部を閉じた状態を示す斜視図である。
【図３】本発明のノート型情報処理装置の第１の実施の形態例として表示部を閉じた状態を示す上面図である。
【図４】本発明のノート型情報処理装置の第１の実施の形態例として表示部を閉じた状態を示す側面図である。
【図５】本発明のノート型情報処理装置の第１の実施の形態例として表示部を閉じた状態を示す正面図である。
【図６】本発明のノート型情報処理装置の第１の実施の形態例が地面に落下した状態を示す説明図である。
【図７】本発明のノート型情報処理装置の第２の実施の形態例として表示部を閉じた状態を示す側面図である。
【発明を実施するための形態】
【００１１】
以下、本発明のノート型情報処理装置の実施の形態例について、図１〜図７を参照して説明する。なお、各図において共通の部材には、同一の符号を付している。また、本発明は、以下の形態に限定されるものではない。
なお、説明は以下の順序で行う。
１．第１の実施の形態例
２．第２の実施の形態例
【００１２】
１．第１の実施の形態例
まず、図１〜図６を参照して本発明のノート型情報処理装置の第１の実施の形態例（以下、「本例」という。）について説明する。
図１は、本例のノート型情報処理装置を示す斜視図、図２は、本例のノート型情報処理装置の表示部を閉じた状態を示す斜視図である。
【００１３】
図１に示すように、本例のノート型情報処理装置１は、いわゆるノート型パーソナルコンピュータ（以下、「ノート型パソコン」という。）である。このノート型パソコン１は、本体側筐体２と、表示部３と、ヒンジ機構４等を備えて構成されている。本体側筐体２及び表示部３は、互いに重なり合って積層可能に構成されている。そして、本体側筐体２の上に表示部３が積層され、本体側筐体２と表示部３がヒンジ機構４によって回動可能に連結されている。
【００１４】
本体側筐体２は、扁平な略直方体状に形成されている。この本体側筐体２の内部には、制御部と、ＨＤＤ（Hard disk drive）又はＦｌａｓｈ  ＳＤＤ（Flash solid state drive）等からなる記憶装置等が内蔵されている。制御部は、配線基板上に所定のマイクロコンピュータ、抵抗やコンデンサその他の電子部品等を搭載することによって形成される。
【００１５】
また、本体側筐体２は、略長方形状の主面部２ａと、２つの側面部２ｂ、２ｂと、正面部２ｃと、背面部２ｄと、載置面部２ｅとを有している。２つの側面部２ｂ、２ｂは、主面部２ａの長手方向の両端に主面部２ａから略垂直に連続している。正面部２ｃは、主面部２ａの短手方向の一端に配置されている。背面部２ｄは、正面部２ｃと対向し、且つ主面部２ａの短手方向の他端に配置されている。また、載置面部２ｅは、主面部２ａと対向している。
【００１６】
主面部２ａには、第１の入力部５が設けられている。第１の入力部５は、多数のキーからなる第１のキー式入力部６と、スティックポインタ７と、からなる。スティックポインタ７は、主面部２ａの中央部に配置されている。このスティックポインタ７は、後述する表示部３の表示面に表示されたカーソルの移動や画面のスクロール操作等に用いられる。これらの第１のキー式入力部６及びスティックポインタ７から制御信号が入力され、所定の情報処理等が行われる。
【００１７】
この主面部２ａと対向する載置面部２ｅには、机等の載置面に接触して本体側筐体２を支える脚部材８が設けられている（図４及び図５参照）。脚部材８は、載置面部２ｅから主面部２ａと反対方向に向けて突出する凸部である。また、側面部２ｂには、外付けディスクドライブやＵＳＢフラッシュメモリ等の外部装置と接続するための接続端子９が設けられている。
【００１８】
更に、背面部２ｄにおける左右両側には、ヒンジ機構４が設けられている。図１及び図２に示すように、このヒンジ機構４によって本体側筐体２と表示部３が回動可能に連結される。そして、本体側筐体２に対して表示部３が上下方向へ回動可能とされたノート型パソコン１が構成されている。なお、ヒンジ機構４は、表示部３が本体側筐体２に対して、任意の角度位置でその傾斜した姿勢を保持できるように構成されている。
【００１９】
上述したような構成を有する本体側筐体２の材質としては、例えば、エンジニアリングプラスチック等が挙げられる。
【００２０】
表示部３は、本体側筐体２と同様に、扁平な略直方体状に形成されている。そして、この表示部３は、表示パネル１０と、本体側筐体２の主面部２ａと対向する前面板１１と、背面板１２とを有している。更に、この表示部３には、カメラが内蔵されている。
【００２１】
表示パネル１０としては、例えば液晶ディスプレイや有機ＥＬディスプレイ、表面電界ディスプレイ等が挙げられる。また、表示パネル１０の内側には、図示しないが、表示パネル１０の背面側に光を当てるバックライトや、表示パネル１０の画面を制御する制御装置が搭載された配線基板等が必要に応じて収納されている。そして、各種の情報や画像等が表示パネル１０に表示可能に構成されている。
【００２２】
前面板１１は、略長方形をなす平板状に形成されている。また、前面板１１には、略長方形状に開口する開口部１３が設けられている。更に、この前面板１１には、表示パネル１０が不図示のフレーム部材を介して固定されている。そして、この前面板１１の開口部１３から、その内部に取り付けられた表示パネル１０の表示面１０ａが臨まれている。
【００２３】
また、前面板１１における開口部１３の長手方向の両側には、第２の入力部１４が設けられている。この第２の入力部１４は、開口部１３の長手方向の両側で、且つ本体側筐体２との接続側に位置している。第２の入力部１４は、２つのキーからなる第２のキー式入力部１６と、タッチパネル式のタッチ式入力部１７とを有している。タッチ式入力部１７の入力方式としては、例えば静電容量方式や抵抗膜方式等が挙げられる。また、タッチ式入力部１７の近傍には、カメラのレンズ部が臨む撮像窓１８が設けられている。
【００２４】
更に、前面板１１には、開口部１３、タッチ式入力部１７及び撮像窓１８を覆うようにクリアパネル１９が取り付けられている。クリアパネル１９は、透明な平板状の部材で形成されている。このクリアパネル１９には、露出窓２１が形成されている。露出窓２１は、クリアパネル１９を前面板１１に取り付けた際に、第２のキー式入力部１６と対応する箇所に配置されている。そして、この露出窓２１から前面板１１に設けた第２のキー式入力部１６が露出する。
【００２５】
背面板１２は、略長方形をなす平板状に形成されている。この背面板１２は、表示パネル１０の表示面１０ａの反対側に配置されて、前面板１１及び表示パネル１０の背面を全て覆っている。
【００２６】
背面板１２は、略長方形状に形成された背面部１２ａと、背面部１２ａの周囲を囲む２つの短辺部１２ｂ、１２ｂと、第１の長辺部１２ｃと、第２の長辺部１２ｄとを有している。２つの短辺部１２ｂ、１２ｂは、背面部１２ａの長手方向の両端に位置している。第１の長辺部１２ｃは、背面部１２ａの短手方向の一側に位置しており、第２の長辺部１２ｄは、背面部１２ａの短手方向の他側に位置している。そして、第２の長辺部１２ｄ側には、ヒンジ機構４が配置されている。
【００２７】
図３は、本例のノート型パソコン１を閉じた状態を示す上面図である。図４は、本例のノート型パソコン１の側面図、図５は、本例のノート型パソコン１の正面図である。
図３に示すように、背面板１２の背面部１２ａの大きさは、本体側筐体２の主面部２ａとほぼ等しくなるように設定されている。また、背面板１２の背面部１２ａにおける第１の長辺部１２ｃ側の角部は、丸く切り欠かれている。そして、この角部は、本体側筐体２の主面部２ａにおけるヒンジ機構４と反対側の角部よりも小さく形成されている。そのため、表示部３を本体側筐体２に重ね合わせると、主面部２ａの角部が背面板１２の背面部１２ａにおける第１の長辺部１２ｃ側の角部から露出する。
【００２８】
図４及び図５に示すように、背面板１２の背面部１２ａは、中央部が前面板１１と反対方向に向けて膨出し、周縁部が丸みを帯びている。これにより、背面板１２に加わる力を分散させることができる。
【００２９】
そして、表示部３は、閉じた状態で本体側筐体２の主面部２ａの角部を除くほぼ全面を覆う。このとき、第１の長辺部１２ｃは、本体側筐体２の正面部２ｃと略平行となり、２つの短辺部１２ｂ、１２ｂは、本体側筐体２の２つの側面部２ｂ、２ｂと略平行となる。これにより、表示部３を本体側筐体２に重ね合わせた際に、本体側筐体２又は表示部３のどちらか一方の側面部が突出することなく、ほぼフラットな側面部及び正面部を形成することができる。その結果、ノート型パソコン１を手に保持した際に使用者の手になじみやすく、装置本体を持ち運び易くすることができる。
【００３０】
また、図４及び図５に示すように、背面板１２における背面部１２ａの面積は、表示パネル１０を有する前面板１１の面積よりも大きく設定されている。そして、背面板１２の周縁が前面板１１の周縁から外側に張り出している。更に、前面板１１の側面部は、背面板１２から本体側筐体２の主面部２ａに向けてその面積が小さくなる方向に傾斜している。そのため、表示部３を本体側筐体２に重ね合わせた際に、表示部３と本体側筐体２との間における背面板１２の第１の長辺部１２ｃ側に隙間が形成される。その結果、背面板１２の第１の長辺部１２ｃから手指が挿入し易くなり、容易に表示部３を回動させて開くことができる。
【００３１】
更に、主面部２ａに設けた第１のキー式入力部６及びスティックポインタ７は、表示部３によって全て隠れる。そのため、携帯時に使用者の意図に反して操作されることがなく、誤操作を防止することができる。更に、第１のキー式入力部６及びスティックポインタ７を表示部３によってしっかりと覆うことで、表示部３が第１のキー式入力部６及びスティックポインタ７の埃・ゴミよけになる。その結果、埃やゴミが第１のキー式入力部６及びスティックポインタ７に付着することを防ぐことができる。
【００３２】
なお、本例では、背面板１２における背面部１２ａの第１の長辺部１２ｃ側の角部のみを本体側筐体２の主面部２ａの角部よりも小さく形成した例を説明したが、これに限定されるものではない。例えば、背面部１２ａの４つの角部を全て丸く形成し、本体側筐体２の主面部２ａの角部より小さく形成してもよい。
【００３３】
上述したような構成を有する背面板１２の材質としては、例えば、エンジニアリングプラスチック等が挙げられる。
【００３４】
図６は、本例のノート型パソコン１を地面や机等に角部から落下させた状態を示す説明図である。
図６に示すように、表示部３における背面板１２の第１の長辺部１２ｃ側の角部を本体側筐体２の角部よりも小さく形成しているため、本体側筐体２の主面部２ａの角部が表示部３の角部よりも外側に突出する。すなわち、表示部３の角部は、本体側筐体２の主面部２ａの角部よりも内側に配置される。そのため、地面Ｇには、表示部３の角部が衝突し難くなり、表示部３よりも補強を施し易く強度が高い本体側筐体２の角部が衝突し易くなる。このように、表示部３の角部が地面Ｇに衝突し難くなるため、補強を施し難い表示部３に大きな衝撃力が加わることを防ぐことができる。その結果、表示部３に設けた表示パネル１０が破損することを防ぐことができる。
【００３５】
また、本例のノート型パソコン１は、表示パネル１０が取り付けられる前面板１１よりも背面板１２を大きく形成している。そして、この背面板１２の周縁部は、前面板１１の周縁部から外側に張り出している。そのため、側面部から地面や机等に落下した際には、表示パネル１０を有する前面板１１が地面や机に衝突し難くなっている。これにより、側面部から地面や机等に落下した際も、表示パネル１０に大きな衝撃力が加わることを防ぐことができ、表示パネル１０が衝撃力によって破損することを保護することができる。
【００３６】
更に、本例のノート型パソコン１によれば、リブ等の補強を施すことなく、落下の際に生じる衝撃力から表示部３を保護することができる。そのため、表示部３の薄型化及び軽量化を図ることができ、持ち運び易いノート型パソコン１を提供することができる。
【００３７】
２．第２の実施の形態例
次に、図７を参照して本発明のノート型パソコンの第２の実施の形態例について説明する。
図７は、第２の実施の形態例にかかるノート型パソコンを示す側面図である。
【００３８】
この第２の実施の形態例にかかるノート型パソコン３１が、第１の実施の形態例に係るノート型パソコン１と異なるところは、表示部の形状である。そのため、ここでは、表示部について説明し、第１の実施の形態例にかかるノート型パソコン１と共通する部分には同一の符号を付して重複した説明を省略する。
【００３９】
図７に示すように、ノート型パソコン３１における表示部３２は、前面板３３と、背面板３４とを有している。前面板３３は、第１の実施の形態例にかかる前面板１１の同一の構成を有しているため、ここではその説明は省略する。
【００４０】
背面板３４は、略長方形をなす平板状に形成されている。この背面板３４は、前面板１１の背面側の全体を覆っている。そして、背面板３４の背面部３４ａは、中央部が前面板１１の反対方向に向けて膨出している。また、背面板３４の背面部３４ａは、その中央部から周縁部にかけて厚みが薄くなるように傾斜している。
【００４１】
その他の構成は、上述した第１の実施の形態例にかかるノート型パソコン１と同様であるため、それらの説明は省略する。このような構成を有するノート型パソコン３１によっても、上述した第１の実施の形態例にかかるノート型パソコン１と同様の作用及び効果を得ることができる。
【００４２】
なお、この第２の実施の形態例にかかるノート型パソコン３１によれば、表示部３２における側面から見た角部が本体側筐体２に近づく方向に傾斜している。そのため、表示部３２の周縁部が薄くなるため、落下時に表示部３２よりも本体側筐体２が地面や机に衝突し易くなる。これにより、第１の実施の形態例にかかるノート型パソコン１に比べて、表示部３２をより効果的に保護することができる。
【００４３】
また、第２の実施の形態例にかかるノート型パソコン３１では、表示部３２における側面から見た角部を本体側筐体２に近づく方向に傾斜させた例を説明したが、これに限定されるものではない。例えば、表示部３２における側面から見た角部の曲率半径を、本体側筐体２における正面部２ｃ及び側面部２ｂと、載置面部２ｅとが接続する角部の曲率半径よりも大きくしてもよい。すなわち、表示部３２における背面板３４を、その中央部から周縁部に近づくにつれて薄くなるように形成すれば、その目的は達成できるものである。
【００４４】
なお、本発明は上述しかつ図面に示した実施の形態に限定されるものではなく、特許請求の範囲に記載した発明の要旨を逸脱しない範囲内で種々の変形実施が可能である。例えば、上述した実地の形態例では、表示部を本体側筐体にヒンジ機構を介して回動可能に連結した例を説明したが、これに限定されるものではなく、表示部を本体側筐体に対してスライドさせて開閉するように構成してもよい。
【符号の説明】
【００４５】
１，３１…ノート型パソコン（ノート型情報処理装置）、  ２…本体側筐体、  ２ａ…主面部、  ３，３２…表示部、  ４…ヒンジ機構、  ５…第１の入力部（入力部）、  １０…表示パネル、  １０ａ…表示面、  １１，３３…前面板、  １２，３４…背面板、  １２ａ，３４ａ…背面部、  １２ｂ…短辺部、  １２ｃ…第１の長辺部、  １２ｄ…第２の長辺部、  １３…開口部
【図１】
2011237900.tif 000003
【図２】
2011237900.tif 000004
【図３】
2011237900.tif 000005
【図４】
2011237900.tif 000006
【図５】
2011237900.tif 000007
【図６】
2011237900.tif 000008
【図７】
2011237900.tif 000009